(57)【要約】【課題】  軒先に設けられる軒樋に雪が溜まることを防止させる雪除け機能を維持しながら、軒先の入り隅部からの雨水の飛び出し防止可能な軒樋の雪除けカバーを提供すること。【解決手段】  軒先に設けられる軒樋４の前側上縁部４１と屋根端部７１との間隙を軒先の入り隅部にて塞ぐ平面視略Ｌ字状の軒樋の雪除けカバーである。表面１ａに、雨水を該Ｌ字状の曲がり部１１の、交点から離れた前端側に導き滴下させる、複数の雨水に対する堰２１、２１…となる導水突条２を有する。【選択図】図１
2006083581.tif 000002
【特許請求の範囲】
【請求項１】
軒先に設けられる軒樋の前側上縁部と屋根端部との間隙を軒先の入り隅部にて塞ぐ平面視略Ｌ字状の軒樋の雪除けカバーであって、表面に、雨水を該Ｌ字状の曲がり部の、交点から離れた前端側に導き滴下させる導水突条を有して成ることを特徴とする軒樋の雪除けカバー。
【請求項２】
前記曲がり部の内縁前端に、Ｌ字状の一辺と他辺との滴下箇所に亘る切欠きを有することを特徴とする請求項１に記載の軒樋の雪除けカバー。
【発明の詳細な説明】
【技術分野】
【０００１】
本発明は、軒先に設けられる軒樋の前側上縁部と屋根端部との間隙を軒先の入り隅部にて塞ぐ平面視略Ｌ字状の軒樋の雪除けカバーに関する。
【背景技術】
【０００２】
従来から、図３に示す如く、軒先に保持される軒樋４とともに、該軒樋４を支持する吊り具５に一体に設けられた支持部５１にて支持されて、該軒樋４の前側上縁部と軒先上方の屋根先部との間隔開口を塞ぐ、積雪地にて使用して有用な軒樋の雪除けカバーが提案されている。
【０００３】
上記の軒樋の雪除けカバーは、積雪地以外の地域において、軒樋４の中に落ち葉が溜まりにくくする、落ち葉避けカバーとしても有用である。この軒樋の雪除けカバーの本体６は、所定長さをもった長尺略板状のもので、本体６の前側下端部と軒樋４の前側上縁部との間に雨水流入間隙が形成されるよう、上記支持部５１に取着されている。また、雪除けカバーの本体６は、図３に示すような継手７にて接続されるとともに、軒先の入り隅部及び出隅部においては、継手７と同じく接続を兼ねた、平面視略Ｌ字状の入り隅用雪除けカバー８と出隅用雪除けカバー９とがそれぞれ設けられて設置される。
【０００４】
ところで、一般に、軒先の入り隅部と出隅部とを比較した場合、入り隅部は屋根面を伝って流下する雨水が集中し易い。そのため、積雪地とは異なる降雨量の多い降雨地域に上記雪除けカバーを設置した場合、その雨水が軒樋より前側に飛び出して地面にそのまま落ちることが懸念される。
【０００５】
本出願人は、上記入り隅用雪除けカバー８と出隅用雪除けカバー９とを兼用することを目的として、特許第３５００９７４号公報に開示された、図４に示す、カバー本体１００のＬ字状曲がり部の外縁と内縁とを結ぶ稜線に沿って屈曲自在部１０１を設け、その屈曲自在部１０１の薄肉化部分を屈曲自在部１０１が凹所となるように屈曲させて入り隅用とし、屈曲自在部１０１が凸所となるように屈曲させて出隅用とすることにより、入り隅用及び出隅用を共用させて成る軒樋の雪除けカバーを提案している。
【０００６】
このものにおいては、入り隅用雪除けカバーとして設置したときに、その表面を流下する雨水を、屈曲自在部１０１の前端となる、Ｌ字状の交点前端側に導いて滴下させることが想定される。
【０００７】
しかしながら、この構成では、カバー本体１００のＬ字状曲がり部の外縁と内縁とを結ぶ稜線に沿って設けられた屈曲自在部１０１の雨水を流下させて軒樋内部に導くことができるが、屈曲自在部１０１以外の表面以外の雨水はそのまま流下し、雨水が軒樋より前側に飛び出すこととなる。したがって、降雨量の多い降雨地域への適応を考えてみると、十分とは言えない。
【特許文献１】特許第３５００９７４号公報
【発明の開示】
【発明が解決しようとする課題】
【０００８】
本願発明は、上記背景技術に鑑みてなされたものであり、その課題は、軒樋に雪が溜まることを防止させる雪除け機能を維持しながら、軒先の入り隅部からの雨水の飛び出し防止可能な軒樋の雪除けカバーを提供することである。
【課題を解決するための手段】
【０００９】
上記課題を解決するために、本願発明による軒樋の雪除けカバーは、軒先に設けられる軒樋の前側上縁部と屋根端部との間隙を軒先の入り隅部にて塞ぐ平面視略Ｌ字状の軒樋の雪除けカバーであって、表面に、雨水を該Ｌ字状の曲がり部の、交点から離れた前端側に導き滴下させる導水突条を有することを特徴としている。
【００１０】
そして、前記曲がり部の内縁前端に、Ｌ字状の一辺と他辺との滴下箇所に亘る切欠きを有することが好ましい。
【発明の効果】
【００１１】
本願発明の軒樋の雪除けカバーは、その表面の雨水が、導水突条にて平面視略Ｌ字状の曲がり部の交点から離れた前端側に導かれて滴下されるので、軒先の入り隅部からの雨水の飛び出し防止機能を特徴として有する、軒樋に雪が溜まることを防止させる雪除け機能を維持した軒樋の雪除けカバーが得られる。
【００１２】
そして、平面視略Ｌ字状の曲がり部の内縁前端において、一辺と他辺との滴下箇所に亘る切欠きから雨水が滴下するようになるので、より多い雨量であっても軒先の入り隅部からの雨水の飛び出し防止が成されるものとなる。
【発明を実施するための最良の形態】
【００１３】
本発明の上記および他の効果、特徴および利点を明確にすべく、添付した図面を参照しながら、本発明の実施の形態を以下に詳述する。 図１を参照すると、本発明の一実施形態としての軒樋の雪除けカバーの設置状態での作用の説明図が示されている。図２は、図１の軒樋の雪除けカバーを示し、（ａ）は平面図、（ｂ）は側面図、（ｃ）は、（ｂ）図におけるＡ部拡大図である。
【００１４】
この実施形態の軒樋の雪除けカバー１は、軒先に設けられる軒樋４の前側上縁部４１と屋根端部７１との間隙を軒先の入り隅部にて塞ぐ平面視略Ｌ字状の軒樋の雪除けカバーであって、表面１ａに、雨水を該Ｌ字状の曲がり部１１の、交点から離れた前端側に導き滴下させる導水突条２を有する。
【００１５】
この場合、前記曲がり部１１の内縁前端に、Ｌ字状の一辺１２と他辺１３との滴下箇所に亘る切欠き３を有してもいる。
【００１６】
詳しくは、この軒樋の雪除けカバー１は、従来の技術の項にて説明したものと同じく、図３に示すように、軒樋４を支持する吊り具５に一体に設けられた支持部５１にて支持されて、軒樋４の前側上縁部と軒先上方の屋根先部との間隔開口を塞ぐように前下がりに斜めに固定されている雪除けカバーの本体６を、軒先の入り隅部にて接続するのに使用される。そして、この場合、塩化ビニル樹脂材料等の硬質の合成樹脂材料にて形成され、図２（ａ）に示すような平面視略Ｌ字状をもって、軒先の入り隅部にて屋根先部との間隔開口を塞ぐ。
【００１７】
軒樋の雪除けカバー１は、その直線部となる一辺１２及び他辺１３それぞれからＬ字状曲がり部１１に向けて延設された、導水突条２を表面１ａに有する略対称形の略Ｌ字状で、その端部両縁に、上記本体６を略直角状に接続するための接続片１４、１４を、また曲がり部１１の内縁前端に切欠き３を有して形成されている。なお、この場合、雪除けカバーの本体６は略板状長尺材で、その両縁の前縁及び後縁には補強用の前耳及び後耳が形成されており、接続片１４、１４は、この前耳及び後耳をばね性をもって把持するように対向して湾曲形成されている。
【００１８】
表面１ａには、複数の雨水に対する堰２１、２１…となる導水突条２が形成されている。この堰２１は、この場合、図２（ｃ）に示すように断面視略三角状で、最前列のものには、当該堰２１を設けていない平坦部２２が設けられ、この平坦部２２から雨水がＬ字状の曲がり部１１の、交点から離れた前端側に導き滴下される。
【００１９】
切欠き３は、Ｌ字状の一辺１２と他辺１３との滴下箇所に亘るよう、曲がり部１１の内縁前端から平坦部２２、２２前側に向けて平面視略コ字状に大きく形成されている。この切欠き３は、曲がり部１１の内縁前端部分が雨水を軒樋内部へ円滑に流下するようＲ形状をもって形成されている。したがって、平面視略Ｌ字状曲がり部１１の内縁前端において、一辺１２と他辺１３との滴下箇所に亘る切欠き３から雨水が滴下するようになるので、より多い雨量であっても軒先の入り隅部からの雨水の飛び出し防止が成されるものとなる。
【００２０】
上記軒樋の雪除けカバー１の施工は、まず、従来の技術の項にて説明したように、所定長さの略板状長尺の本体６を、その前側下端部と軒樋４の前側上縁部との間に雨水流入間隙が形成されるように、吊り具５の支持部５１に取着する。次いで、雪除けカバーの本体６を、継手７にて接続し、軒先の入り隅部に、軒樋の雪除けカバー１の接続片１４、１４にて雪除けカバーの本体６の両縁をばね性をもって把持させ配設する。
【００２１】
かかる軒樋の雪除けカバー１においては、図１に示すように、その表面１ａの雨水Ｂが、導水突条２にて平面視略Ｌ字状の曲がり部１１の交点から離れた前端側に導かれて滴下されることとなるので、軒先の入り隅部からの雨水の飛び出し防止するという効果がもたされる。
【００２２】
したがって、以上説明した軒樋の雪除けカバー１によると、その表面１ａの雨水が、導水突条２にて平面視略Ｌ字状の曲がり部１１の交点から離れた前端側に導かれて滴下されるので、軒先の入り隅部からの雨水の飛び出し防止機能を特徴として有する、軒樋に雪が溜まることを防止させる雪除け機能を維持した軒樋の雪除けカバーが得られる。
【００２３】
そして、平面視略Ｌ字状の曲がり部１１の内縁前端において、一辺１２と他辺１３との滴下箇所に亘る切欠き３から雨水が滴下するようになるので、より多い雨量であっても軒先の入り隅部からの雨水の飛び出し防止が成されるものとなる。
【００２４】
なお、本発明は上記各実施例に限定されず、本発明の技術思想の範囲内において、各実施例は適宜変更され得ることは明らかである。例えば、上記実施の形態において、堰２１は、断面視略三角状以外に例えば四角形状などのどのような形状であっても良い。すなわち、雨水の勢いを低下させ、雨水を左右に導くことができるものであれば良く、また、切欠き３や、雨水を、Ｌ字状の曲がり部１１の交点から離れた前端側に導き滴下される上記平坦部２２の無いものであっても勿論良い。
【図面の簡単な説明】
【００２５】
【図１】本願発明の一実施形態である軒樋の雪除けカバーの設置状態での作用の説明図。
【図２】同軒樋の雪除けカバーを示し、（ａ）は平面図、（ｂ）は側面図、（ｃ）は、（ｂ）図におけるＡ部拡大図である。
【図３】雪除けカバーを有する軒樋装置の構成図。
【図４】従来例である雪除けカバーを示し、（ａ）は、平面図、（ｂ）は屈曲自在部の断面図である。
【符号の説明】
【００２６】
１      雪除けカバー
１ａ      表面
１１      曲がり部
２      導水突条
３      切欠き
４      軒樋
４１      前側上縁部
【図１】
2006083581.tif 000003
【図２】
2006083581.tif 000004
【図３】
2006083581.tif 000005
【図４】
2006083581.tif 000006